(57)【要約】【課題】  支柱への孔加工の精度によらず高い耐風強度を確保できる手摺の提供。【解決手段】  支柱１と、下弦材２と、下弦材２を受けるブラケット３を備え、ブラケット３は、支柱１の見込み面１ａに設けた係止部４に係止すると共に支柱１及びブラケット３を貫通するボルト５により支柱１の見込み面１ａに固定してあり、下弦材２は、ブラケット３に固定してある。【選択図】      図１
2015165076.tif 000002
【特許請求の範囲】
【請求項１】
支柱と、下弦材と、下弦材を受けるブラケットを備え、ブラケットは、支柱の見込み面に設けた係止部に係止すると共に支柱及びブラケットを貫通するボルトにより支柱の見込み面に固定してあり、下弦材は、ブラケットに固定してあることを特徴とする手摺。
【発明の詳細な説明】
【技術分野】
【０００１】
本発明は、集合住宅のベランダ等に設置される手摺に関する。
【背景技術】
【０００２】
従来より、建物のバルコニー等に設置される手摺として、支柱の屋外側にパネル等を持ち出して取付けたものがあった（例えば、非特許文献１参照）。このような従来の手摺は、支柱下部の屋外側見付面にブラケットをボルトで固定し、ブラケットにパネル等を支持する下弦材を固定してあり、強風時等にはブラケットを支柱に取付けているボルトに荷重が集中する構造となっている。
ブラケットを取付けるために支柱に開けられるねじ孔は、手摺の組立前にボール盤やハンドドリル等で開けているが、ねじ穴の加工が悪いとボルトが緩んでくるおそれがあり、ねじ孔の加工及びボルトの締め付け力に高い精度管理が必要であった。
【先行技術文献】
【非特許文献】
【０００３】
【非特許文献１】三協立山アルミ株式会社発行のカタログ「アルミ手すりシリーズ」（カタログＮｏ．ＳＴＢ００６５Ａ Ｃ．０６．０５−５０）、２００６年６月、ｐ．４３−４４
【発明の概要】
【発明が解決しようとする課題】
【０００４】
本発明は以上に述べた実情に鑑み、支柱への孔加工の精度によらず高い耐風強度を確保できる手摺の提供を目的とする。
【課題を解決するための手段】
【０００５】
上記の課題を達成するために請求項１記載の発明による手摺は、支柱と、下弦材と、下弦材を受けるブラケットを備え、ブラケットは、支柱の見込み面に設けた係止部に係止すると共に支柱及びブラケットを貫通するボルトにより支柱の見込み面に固定してあり、下弦材は、ブラケットに固定してあることを特徴とする。
【発明の効果】
【０００６】
請求項１記載の発明による手摺は、下弦材を受けるブラケットを、支柱の見込み面に設けた係止部に係止すると共に支柱及びブラケットを貫通するボルトにより支柱の見込み面に固定したことで、風による屋内外方向の荷重を支柱の係止部に負担させることができるため、支柱への孔加工の精度によらず高い耐風強度を確保できる。
【図面の簡単な説明】
【０００７】
【図１】図４のＡ−Ａ断面図である。
【図２】図４のＢ−Ｂ断面図である。
【図３】図４の手摺の支柱の周辺を拡大して示す屋外側正面図である。
【図４】本発明の手摺の第１実施形態を示す屋外側正面図である。
【図５】同手摺の下弦材の支柱への取付部を分解して示す斜視図である。
【図６】下弦材の支柱との取り合い部の他の実施形態を示す斜視図である。
【図７】竪枠の他の実施形態を示す横断面図である。
【図８】本発明の手摺の第２実施形態を示す屋外側正面図である。
【図９】図８のＣ−Ｃ断面図である。
【図１０】図８のＤ−Ｄ断面図である。
【発明を実施するための形態】
【０００８】
以下、本発明の実施の形態を図面に基づいて説明する。図１〜５は、本発明の手摺の第１実施形態を示している。本手摺は、マンション等集合住宅のベランダに設置される落下防止用の手摺で、図２，４に示すように、ベランダの屋外側端部に床面から立ち上げたパラペット６に複数本の支柱１，１，…が左右方向に間隔をおいて立設してあり、支柱１の上端部に笠木７が架設してあり、支柱１下部に下弦材２が架設してあり、支柱１の屋外側見付面１ｂに竪枠８が取付けてあり、隣接する支柱１，１間に合わせガラスを用いてなるパネル９が、四辺を笠木７、下弦材２及び竪枠８によりそれぞれ支持し、支柱１の屋外側に持ち出して設置してある。支柱１、笠木７、下弦材２、竪枠８は、それぞれアルミニウム合金の押出形材で形成されている。
【０００９】
支柱１は、図１に示すように、見付寸法Ｗ１が小さく見込み寸法Ｄ１が大きい略長方形断面の形材となっている。具体的には、支柱の見付寸法Ｗ１は２０ｍｍ、支柱の見込み寸法Ｄ１は７５ｍｍである。支柱１は、左右の見込み面１ａ，１ａの屋外側寄りの位置に、浅い溝状の係止部４を長手方向に沿って設けてある。
支柱１下部の左右見込み面１ａ，１ａには、図１，２に示すように、下弦材２を受けるブラケット３，３が取付けてある。ブラケット３は、アルミニウム合金の押出形材を一定の長さに切断して形成したピース状の部材であり、中心部にボルト挿通部１０が形成されている。ブラケット３は、支柱１の見込み面１ａに形成された係止部４に小口部を係止すると共に、ブラケット３，３及び支柱１を貫通してボルト５を通し、ボルト５にナット１１を螺合させて締付けることで支柱１に取付けられている。このようにブラケット３を支柱１の係止部４に係止することで、ブラケット３が屋内外方向に位置決めされると共に回転が規制される。また、ブラケット３，３及び支柱１を貫通するボルト５で取付けるため、支柱１に開ける孔１２（図５参照）はボルト５の径より若干大きいバカ孔でよく、支柱１の孔加工が容易である。
支柱１の上端部には、笠木連結プレート１３がネジ１４で取付けてある。
【００１０】
下弦材２は、図２に示すように、上方が開口する略コ字形断面のパネル保持溝部１５と、パネル保持溝部１５の屋内側の壁の上部より屋内側に延出する上壁１６と、上壁１６の屋内側端部より垂下する垂下壁１７を有している。上壁１６は、屋外側に水平部１６ａを有し、屋内側に下り勾配の傾斜部１６ｂを有する。下弦材２は、図３，５に示すように、支柱１の中心で左右に分割してあり、屋内側に支柱１の見付寸法Ｗ１に対応した幅で切欠き１８が形成され、図１に示すように、当該切欠き１８に支柱１の屋外側部を呑み込ませてある。前述のブラケット３は、図２に示すように、下弦材２の上壁１６の下の空間にぴったり嵌る形状で形成されており、下弦材２の屋内側部をブラケット３に上方から係合し、上壁１６をブラケット３にネジ１９で固定することで、下弦材２が支柱１に取付けられる。
図２に示すように、下弦材２のパネル保持溝部１５の底面にはセッティングブロック２０が配置され、パネル保持溝部１５内の屋外側にはビード２１が設けられ、パネル９の屋内側面との隙間にはバックアップ材２２とシール材２３が装填してある。パネル保持溝部１５の屋内側面１５ａは、支柱１の屋外側の見付面１ｂに当接している。下弦材２の見付寸法Ｗ２は２５ｍｍ、見込み寸法Ｄ２は６５ｍｍとしてある。パネル保持溝部１５内の屋内側には、後述する竪枠固定金具２４を係止するための係止溝２５が形成してある。
【００１１】
竪枠８は、図１に示すように、屋内側端部に一対の鉤型の係止爪２６，２６を対向して有し、各係止爪２６を支柱見込み面１ａの係止部４の前縁４ａに係止させて、支柱１の屋外側の見付面１ｂに取付けてある。なお、竪枠８を支柱１の見付面１ｂに取付ける際には、係止爪２６を支柱１の係合部４に上方からスライド係合させて取付ける。竪枠８の係止爪２６の屋外側には押縁２７が取付けてあり、竪枠８の見付壁２８と押縁２７とでパネル保持溝部２９が形成され、パネル保持溝部２９内にパネル９の側端部を保持している。竪枠８の見付壁２８には、中央部に凹部３０が形成され、凹部３０内に黒色の帯状の化粧板３１が取付けられ、化粧板３１によりパネル９，９間に黒色の目地があるように見え、これにより竪枠８の見付けが細くシャープな外観になっている。
竪枠８の下端部には、竪枠固定金具２４がネジ３２で取付けてあり、竪枠固定金具２４は図２に示すように、下弦材２のパネル保持溝部１５内の係止溝２５に係止しており、これにより竪枠８のがたつきを防止している。
【００１２】
笠木７は、図２に示すように、下面側に形成された凹部３３内に支柱１上端部を呑み込ませ、ボルト・ナット３４で笠木連結プレート１３に固定してあり、屋内側に設けた垂下壁３５により笠木連結プレート１３が隠れている。また笠木７は、屋外側端部に下向きに開口したパネル保持溝部３６を有し、パネル保持溝部３６内にパネル９の上端部を保持している。
【００１３】
次に、本手摺の施工手順を説明する。本手摺は、通常、工場にてパネル９の無い状態で組み立ててユニット化し、組み立てた手摺ユニットを施工現場へと搬入し、各支柱１の下部をパラペット６に形成された穴に埋め込むなどして固定する。その後、笠木７のパネル保持溝部３６と下弦材２のパネル保持溝部１５間にパネル９を屋内側から上下けんどん式に配置し、竪枠８に押縁２７を取付け、笠木７、竪枠８及び下弦材２の各パネル保持溝部３６，２９，１５内に屋内側からバックアップ材２２とシール材２３を装填し、パネル９の四周縁部を固定する。
工場における手摺ユニットの組立手順の一例を説明すると、各支柱１の下部の左右見込面１ａ，１ａにブラケット３，３を取付け、支柱１の上端部に笠木連結プレート１３を取付ける。次に、各支柱１のブラケット３に支持して下弦材２を架設する。次に、竪枠８を係止爪２６，２６を上方から支柱見込み面１ａ，１ａの係止部４，４にスライドして係合させ、竪枠８の下端部と下弦材２との間に竪枠固定金具２４を取付けて竪枠８を固定する。次に、各支柱１の笠木連結プレート１３に支持して笠木７を架設する。
【００１４】
以上に述べたように本手摺は、下弦材２を受けるブラケット３，３を、支柱１の見込み面１ａ，１ａに設けた係止部４，４に係止すると共に支柱１及びブラケット３，３を貫通するボルト５により支柱１の見込み面１ａ，１ａに固定したことで、風による屋内外方向の荷重を支柱１の係止部４に負担させることができ、ボルト５に荷重が集中することがなく（ボルト５には引き抜き力がかからない）、しかも支柱１に設ける孔１２はねじ孔ではなくバカ孔でよいため、支柱１への孔加工の精度によらず高い耐風強度を確保できる。また、ブラケット３を支柱１の見込み面１ａに取付けたことで、支柱１の見付寸法Ｗ１を細くすることができ、これにより屋内側から見た意匠が向上する。さらに、竪枠８を支柱１の見込み面１ａ，１ａの係止部４，４に係止して取付けたことにより、竪枠８と支柱１とが一体化し、支柱１の見付寸法Ｗ１を細くしながら強度を向上させることができる。下弦材２の屋内側部に支柱１を呑み込ませることで、下弦材２の強度アップを図りながら、手摺の見込み寸法が増大するのを抑えられる。
【００１５】
図６は、下弦材２の支柱１との取り合い部の他の実施形態を示している。図５に示した例では、支柱１の左右で分割された下弦材２，２にそれぞれ切欠き１８を設けていたが、図６（ａ）の実施形態は、一方の下弦材２の端部にのみ切欠き１８を設け、もう一方の下弦材２は端部を長手方向に対して直角に切断しただけになっている。本実施形態によれば、切欠き１８の加工が１箇所で済むので、切欠き加工の手間を減らすことができる。
図６（ｂ）の実施形態は、両側の下弦材２，２の端部を両方とも長手方向に対して直角に切断し、切断した小口に樹脂やアルミ等で形成した化粧ブロック３７を取付けることで、支柱１を呑み込ませるための隙間３８を形成している。化粧ブロック３７は、下弦材２に形成されているタッピングホール３９を利用してネジ（図示省略）で取付けることができる。化粧ブロック３７は、中央で分割して両側の下弦材２，２に取付けてもよいが、支柱１と同じ厚みの１つの化粧ブロック３７を片側の下弦材２の端部にのみ取付けることもできる。本実施形態によれば、下弦材２への切欠きの加工を省略できる。
【００１６】
図７は、竪枠８を支柱１に固定する構造の他の例を示している。竪枠８の屋内側端部に形成した係止爪２６，２６を支柱見込面１ａ，１ａの係止部４，４に係止している点は図１の例と同様であるが、本実施形態では竪枠固定金具２４を使用せず、竪枠８に屋外側からネジ４０を螺入し、そのネジ４０の先端を支柱１の見付面１ｂに押し付けることで、竪枠８を固定している。
【００１７】
図８〜１０は、本発明の手摺の第２実施形態を示している。本実施形態は、ガラス製のパネル９を取付ける代わりに、複数の格子材４１，４１，…を間隔をおいて設けた格子パネル４４を取付けたものである。支柱１、下弦材２及び笠木７は、第１実施形態と共通のものである。支柱１には、竪枠８を取付けていない。格子パネル４４は、図９，１０に示すように、上下の付子４２，４２間に格子材４１を渡してネジ４３で固定したものであり、上下の付子４２，４２は、下弦材２と笠木７のパネル保持溝部１５，３６に係合して取付けられている。
【００１８】
本発明は以上に述べた実施形態に限定されない。支柱１や下弦材２、笠木７、竪枠８の断面形状は適宜変更することができ、支柱１の見込み面１ａに設ける係止部４の形状やブラケット３の形状も適宜変更することができる。パネル９は樹脂パネルや金属製のパンチングパネル等であってもよい。本発明は、支柱の屋外側にパネルや格子材を持ち出して設置する手摺（フェンスを含む）に広く適用することができ、ベランダ用の手摺に限らず、例えばビルの屋上や歩道橋等の手摺としても利用できる。
【符号の説明】
【００１９】
１  支柱
２  下弦材
３  ブラケット
４  係止部
５  ボルト
【図１】
2015165076.tif 000003
【図２】
2015165076.tif 000004
【図３】
2015165076.tif 000005
【図４】
2015165076.tif 000006
【図５】
2015165076.tif 000007
【図６】
2015165076.tif 000008
【図７】
2015165076.tif 000009
【図８】
2015165076.tif 000010
【図９】
2015165076.tif 000011
【図１０】
2015165076.tif 000012